(57)【特許請求の範囲】
【請求項１】
一つかそれ以上の天井の梁材に支持体で支持する天井ファン用の装置において、
それぞれが前記天井の梁材に接続する複数の装着マウント、および
複数のケーブルが有って、夫々の前記装着マウントは前記天井ファンとの間に前記ケーブルの夫々を延在させて配しており、そして、各梁材が角鉄部材であり、前記装着マウントの夫々が全体としてＬ字形のブラケットを有し、そして、これら装着マウントが前記角鉄部材に対して対向関係にあり、さらに、前記装着マウントが前記Ｌ字形のブラケットを接続するファスナー装置を有し、
これらケーブルが補強作用および安定性を強化し、地震に見舞われたときに前記天井の梁材への前記天井ファンの固着を維持できることを特徴とする天井ファン用の装置。
【請求項２】
前記装着マウントを前記天井の梁材に対して位置的に調整可能に接続するために、前記装着マウントに対して調節可能な棒材を有する請求項１に記載の装置。
【請求項３】
前記調節可能な棒材が複数のボルト穴を有し、そして前記Ｌ字形のブラケットが前記複数のボルト穴のいずれかに延入するボルトを受け取るスロットを有する請求項２に記載の装置。
【請求項４】
前記ケーブルの第１端部に接続するアイボルトを設けたファスナーを有する請求項１に記載の装置。
【請求項５】
さらに、一端において前記天井ファンに接続するとともに、他端において前記ケーブルに接続する締め金具を有する請求項１〜４のいずれか１項に記載の装置。
【請求項６】
梁材を備えた室内において空気を循環させる装置であって、
ファン、
それぞれが一つの梁材に接続する複数の装着ブラケット、および
それぞれが前記ファンを前記装着ブラケットの一つに接続する複数のケーブルを有し、
前記ケーブルがモーター装置と前記ファンのギヤボックスとの間に設けられたブラケットに取り付けられており、
これらケーブルが補強作用および安定性を強化し、地震に見舞われたときに前記ファンの固着を維持できることを特徴とする装置。
【請求項７】
前記ファンが前記室内の天井から前記ファンを支持する支持体を有する請求項６に記載の装置。
【請求項８】
前記支持体が、前記ファンを前記天井に結合する細長い金属管状構造を有する請求項７に記載の装置。
【請求項９】
各装着ブラケットが前記梁材の一つを包み込む請求項６〜８のいずれか１項に記載の装置。
【請求項１０】
各装着ブラケットは、この装着ブラケットを前記梁材に対して位置的に調整可能に接続するために、前記装着ブラケットに対して調節可能な棒材、一対のブラケット、アイボルト、ボルト、およびナットを有する請求項６〜９のいずれか１項に記載の装置。
【請求項１１】
前記装着ブラケットの夫々が前記ボルトのうちの一つを受け取るスロットを有する請求項１０に記載の装置。
【請求項１２】
前記ファンがハブ装置およびファンブレードを有し、これらの合わせた直径が約６フィート〜約２４フィートである請求項６〜１１のいずれか１項に記載の装置。
【請求項１３】
各梁材が角鉄部材を有し、前記装着ブラケットが全体としてＬ字形のブラケットを有し、これらＬ字形のブラケットが前記角鉄部材に対して対向関係にあり、前記装着ブラケットがさらに前記Ｌ字形のブラケットを接続するファスナー装置を有する請求項６に記載の装置。
【請求項１４】
前記ファスナー装置がボルトを有する請求項１３に記載の装置。
【請求項１５】
前記ファスナー装置を前記梁材に対して位置的に調整可能に取り付けるために、前記ファスナー装置が調節可能な棒材を有する請求項１３に記載の装置。
【請求項１６】
さらに、各ケーブルの一端に接続する締め金具を有する請求項６〜１５のいずれか１項に記載の装置。
【請求項１７】
前記ファンのブラケットを各ケーブルの一端に接続した請求項６〜１６のいずれか１項に記載の装置。
【発明の詳細な説明】
【技術分野】
【０００１】
本出願は米国仮特許出願第６１/７２０，０７７号の優先権を主張する出願で、本出願にこの仮特許出願の内容を援用するものである。
【背景技術】
【０００２】
各種のファンシステムが過去何年にもわたり製造され、各種の用途において使用されている。例えば、各種天井ファンがＵＳＰ７，２８４，９６０（発明の名称：ファンブレード、発行日：２００７年１０月２３日）、ＵＳＰ６，２４４，８２１（発明の名称：低速冷却ファン、発行日：２００１年６月１２日）、ＵＳＰ６，９３９，１０８（発明の名称：強化ブレードを備えた冷却ファン、発行日：２００５年９月６日）、ＵＳＰＤ６０７，９８８（発明の名称：天井ファン、発行日：２０１０年１月１２日）などの公報に開示されている。これらＵＳＰの各公報の開示内容はここに援用するものとする。さらに別なファンの公知例は米国特許公開第２００８/０００８５９６号（発明の名称：ファンブレード、公開日：２００８年１月１０日）、米国特許公開第２００９/０２０８３３３号（発明の名称：ブラシレスモーターを備えた天井ファンシステム、公開日：２００９年８月２０日）、米国特許公開第２０１０/０２７８６３７号（発明の名称：ブレードピッチが可変で、速度制御が可変の天井ファン、公開日：２０１０年１１月４日）に開示されている。いずれの公報の開示内容も本願に援用するものとする。なお、本発明の技術思想は上記のＵＳＰ、特許公開公報または出願明細書のいずれかに記載されているファンのうち任意のファンに組み込むことが可能である。
【０００３】
ファンブレードまたは翼（ａｉｒｆｏｉｌ）は一つかそれ以上の上部エアフェンスおよび/または一つかそれ以上の下部エアフェンスで構成することができ、各エアフェンスはファンブレードまたは翼の長さ方向にある任意の好適な位置に設けることができる。エアフェンスの一例は米国特許出願第１２/８８９，４７５号（発明の名称：ファンブレード用エアフェンス、出願日：２０１０年９月２４日）に開示されている。この開示内容についても本願に援用するものとする。あるいは、その他の好適な要素や特徴をファンブレードまたは翼の長さ方向にある任意の好適な位置に設けるか、又は単に削除してもよい。
【０００４】
ファンブレードまたは翼の外側先端については、空気力学的先端または小翼（aerodynamic tip or winglet）を設けることによって仕上げ処理すればよい。例示のみを目的として説明すると、これら小翼は、本明細書に援用するＵＳＰ７，２５２，４７８（発明の名称：改良ファンブレード、発行日：２００７年８月７日）に記載されている。さらに別な小翼は、本明細書に援用する米国特許公開第２００８/００１４０９０号（発明の名称：改良カフ式ファンブレード、公開日：２００８年１月１７日、出願日：２００７年９月２５日）に記載されている。さらに別な小翼は、本明細書に援用するＵＳＰD５８７，７９９（ファンブレード用小翼、発行日：２００９年３月３日）に記載されている。状況にもよるが、このような小翼の場合、ファンブレードの先端において空気の外向き流れを遮り、流れの方向を変え、空気が再度ファンブレード上に直交方向に流れるだけでなく、空気流れ全体がファンブレードの後縁から流出し、先端渦流れの形成が減少する。状況にもよるが、この結果として、ファンブレードの先端領域において運転効率が改善することがある。他の改良例では、角度付き延長材（an angled extension）をファンブレードまたは翼に設けている。例えば、本明細書に援用する米国特許公開第２００８/０２１３０９７号（発明の名称：ファンブレード用角度付き翼延長材、公開日：２００８年９月４日）には、このような角度付き翼延長材が記載されている。当業者にとっては、翼またはファンブレードの外側先端に対応することができる他の好適な構造は自明なはずである。あるいは、翼またはファンブレードの外側先端を単純に閉じてもよく（キャップなどによって）、このような構造にしなくてもよい。
【０００５】
ファンブレードとファンハブとの界面についても各種の方法で設けることができる。例えば、一つの界面成分（an interface component）は、本明細書に援用する米国特許公開第２００９/００８１０４５号（発明の名称：ファンブレード用空気力学的界面成分、公開日：２００９年３月２６日）に開示されている。あるいは、ファンブレードとファンハブとの界面に任意の他の成分を設けてもよく、あるいは設けなくてもよい。
【０００６】
ファンには各種の装着構造体を設けることができる。例えば、一つのファン装着構造体は、本明細書に援用する米国特許公開第２００９/００７２１０８号（発明の名称：角度を付けて装着する天井ファン、公開日：２００９年３月１９日）に開示されている。ファンの場合、天井やその他の頭上にある構造体に装着する必要は必ずしもなく、壁や地面に装着できることはいうまでもない。例えば、ファンは地面に立設したポストの上部に支持することが可能である。あるいは、本明細書に開示する実施態様では任意のその他の好適な装着構造体および/または装着技術を併用することができる。
【０００７】
なお、ファンの場合、ファンシステムの動作の少なくとも一部を制御するために使用されるセンサーやその他の機能部材を設けることができる。例えば、このようなファンシステムは本明細書に援用する米国特許公開第２００９/００９７９７５号（発明の名称：同心静止管およびパワーダウン機能を備えた天井ファン、公開日：２００９年４月１６日）に、本明細書に援用する米国特許公開第２００９/０１６２１９７号（発明の名称：天井ファンにおける振動を最小限に抑える自動制御システムおよび方法、公開日：２００９年６月２５日）に、本明細書に援用する米国特許公開第２０１０/０２９１８５８号（発明の名称：温度差に基づく天井ファン用自動制御システム、公開日：２０１０年１１月１８日）に、そして本明細書に援用する米国仮特許出願第６１１１６５，５８２号（発明の名称：赤外線を使用して衝撃を避けるシステムを備えたファン、出願日：２００９年４月１日）に開示されている。あるいは本明細書に開示する実施態様では任意のその他の好適な制御システム/機能を併用することができる。
【０００８】
状況にもよるが、ファンブレードの自由端部ではなく、ファンブレードの任意の位置に設けることができる成分内の小翼の機能を複製またはこれに近似させることが望ましい場合もある。例えば、このような成分は本明細書に援用する米国特許公開第２０１１/００８１２４６号（発明の名称：ファンブレード用エアフェンス、公開日：２０１１年４月７日）に開示されている。このような成分は、例えファンブレードの一つかそれ以上の領域においてさえ、小翼によって得られる効果と同様な効果をファン効率に与えることができる。特に、このような成分または付属装置は、空気力学的ガイドまたはエアフェンスとして機能し、ファンブレードの長さまたは長手軸線にそって空気が滑ることを防ぎ、またファンブレードの上および/または下において、ファンブレードの長手軸線に直交する方向に空気流れを再び向けるものである。
各種のファンおよびファンシステムが製作され使用されているが、本発明者以外に本明細書に開示するファン装着システムを製作または使用したものはいない。
【先行技術文献】
【特許文献】
【０００９】
【特許文献１】ＵＳＰ７，２８４，９６０
【特許文献２】ＵＳＰ６，２４４，８２１
【特許文献３】ＵＳＰ６，９３９，１０８
【特許文献４】ＵＳＰＤ６０７，９８８
【特許文献５】米国特許公開第２００８/０００８５９６号
【特許文献６】米国特許公開第２００９/０２０８３３３号
【特許文献７】米国特許公開第２０１０/０２７８６３７号
【特許文献８】米国特許出願第１２/８８９，４７５号
【特許文献９】ＵＳＰ７，２５２，４７８
【特許文献１０】米国特許公開第２００８/００１４０９０号
【特許文献１１】ＵＳＰD５８７，７９９
【特許文献１２】米国特許公開第２００８/０２１３０９７号
【特許文献１３】米国特許公開第２００９/００８１０４５号
【特許文献１４】米国特許公開第２００９/００７２１０８号
【特許文献１５】米国特許公開第２００９/００９７９７５号
【特許文献１６】米国特許公開第２００９/０１６２１９７号
【特許文献１７】米国特許公開第２０１０/０２９１８５８
【特許文献１８】米国仮特許出願第６１１１６５，５８２号
【特許文献１９】米国特許公開第２０１１/００８１２４６号
【特許文献２０】米国特許公開第２０１０/０１０４４６１号
【発明の概要】
【００１０】
本発明の一つの態様は、一つかそれ以上の天井構造体に支持体を有する天井ファンを装着する装置に関する。この装置は、天井構造体に接続する装着マウント、および天井ファンと装着マウントとの間に延在するケーブルを有する。このケーブルが補強作用および安定性を強化し、地震に見舞われたときに天井構造体へのファンの固着を維持できる。
【００１１】
一つの実施態様では、それぞれ一つの天井構造体に接続する複数の装着マウントを設けるとともに、それぞれが天井ファンと装着マウントとの間に延在する複数のケーブルを設ける。各装着マウントはケーブルの一端に接続する装着ブラケットから構成することができ、また支持構造体へ接続する一対の装着ブラケットおよび装着ブラケットを接続する調節可能な棒材から構成することができる。この調節可能な棒材には複数のボルト穴を設けることができ、ブラケットには複数のボルト穴のいずれかに延在するボルトを受け取るスロットを設けることができる。各装着マウントにはケーブルの第１端部に接続するアイボルトを設けることができ、そして締め金具（ｔｕｒｎｂｕｃｋｌｅ）が一端において天井ファンに、そして他端においてケーブルに接続することができる。
【００１２】
本発明の別な態様は、梁材を有する部屋の天井に隣接し、これから空気を循環させる装置に関する。この装置はファン、それぞれが一つに梁材に接続する複数の装着ブラケット、およびそれぞれがファンを装着ブラケットの一つに接続する複数のケーブルから構成する。これらケーブルが補強作用および安定性を強化し、地震に見舞われたときに上記天井構造体への上記ファンの固着を維持する。
【００１３】
一つの実施態様では、ファンは天井からファンを支持する支持体を有する。この支持体は、ファンを天井に結合する細長い金属管状構造体から構成することができる。ケーブルは、モーター装置とファンのギヤボックスとの間に設けられたブラケットに取り付けた締め金具によってファンに接続することができる。
【００１４】
各装着ブラケットによって梁材（joist）を包み込むことができる。具体的には、各装着ブラケットは調節可能な棒材、一対のブラケット、アイボルト、ボルト、およびナットから構成することができる。各ブラケットにはボルトの一つを受け取るスロットを設けることができる。また、ファンはハブ装置およびファンブレードから構成することができ、これらの合わせた直径は約６フィート〜約２４フィートである。
【００１５】
各梁材には一対の対向角鉄部材（a pair of opposed angle-iron members）を設けることができ、この場合装着ブラケットは全体としてＬ字形のブラケットになり、角鉄部材上に対向関係で設けることができる。装着ブラケットはさらにＬ字形ブラケットを接続するファスナー装置を有する。ファスナー装置はボルトまたは調節可能な棒材から構成することができる。
【００１６】
本発明のさらに別な態様は、支持構造体とファンとの間に延在するケーブルに接続する装着ブラケットに関する。この装着ブラケットはそれぞれが第１脚部および第２脚部を有する第１ブラケットおよび第２ブラケットから構成する。第１ファスナー装置に接続する棒材とともにブラケットの第１脚部それぞれに接続する第１ファスナー装置を設ける。ケーブルに接続する少なくとも一つのコネクターとともに第２脚部に接続する少なくとも一つの第２ファスナー装置を設ける。
【００１７】
各第１脚部には少なくとも一つの第１開口を設けることができ、各第２脚部には少なくとも一つの第２開口を設けることができる。第１ファスナー装置は第１開口に位置決めするもので、第２ファスナー装置は第２開口に位置決めするものである。第２ファスナー装置は、第２開口を貫通する胴部（ｓｈａｎｋ）を有するボルトから構成することができ、このボルトはコネクターを有することができる。棒材には、第１ファスナー装置を受け取る複数の穴を設けることができる。これら穴にはタップを形成することができる。第１開口にはスロットを設けることができ、上記装置にはさらに第１ファスナー装置の端部に接続するナットを設けることができる。
【００１８】
本発明のさらに別な態様は、複数の装着ブラケットを有する地震保護キットからなる、空気循環装置に利用されるファンの改良に関する。各装着ブラケットは天井の梁材に接続でき、ファンと装着ブラケットとの間に延在して、補強作用および安定性を強化する複数のケーブルを設け、地震に見舞われたときにファンを所定位置に維持できるようにする。
【００１９】
本発明のさらに別な態様は、構造体に接続された支持体にこの構造体によって支持されたファンを装着する方法に関する。この方法は支持体に装着ブラケットを固着し、ファンと装着ブラケットとの間にケーブルを延在させることからなる。このケーブルが補強作用および安定性を強化するため、地震に見舞われた時にファンを所定位置に固定し続けることができる。この方法はさらに複数の装着ブラケットを複数の支持体に固着し、ファンと各装着ブラケットとの間にケーブルを延在させることを含む。
【図面の簡単な説明】
【００２０】
本明細書の特許請求の範囲で本発明を特定し、かつ請求項に明確に記載するが、本発明の理解については、添付図面を参照していくつかの実施例に関連する以下の説明を読めば理解がより容易になるはずである。なお、添付図面中同じ参照符号は同じ要素を示す。
【００２１】
【図１】モーター装置、ハブ装置、支持体、複数のファンブレード、および梁材で結合した装着システムを有するファンの一例を示す斜視図である。
【図２】ファンと図１の装着システムとの間の接続を示す、図１のファンの詳細な斜視図である。
【図３】図１のシステムの装着ブラケットを詳細に示す斜視図である。
【図４】図１の梁材、および図１の装着システムを示す側面図である。
【図５】図４の梁材、および図３における装着ブラケットを示す断面図である。
【図６】図３の装着ブラケットを示す斜視図である。
【図７】図６の装着ブラケットを示す展開図である。
【００２２】
添付図面はいかなる意味においても制限を意図せず、必ずしも添付図面に明示されていない他の各種方法における本発明の他の実施態様も可能である。本明細書に添付した、あるいは本明細書の一部を構成する添付図面は本発明のいくつかの態様を説明するもので、本明細書の記載とともに、本発明の原理を説明するものであるが、本発明は図示の正確な構成に限定されるものではない。
【発明を実施するための形態】
【００２３】
本発明のいくつかの実施例に関する以下の説明は、本発明の範囲を限定するために使用すべきではない。本発明の他の実施例、特徴、態様、実施態様および作用効果に関しては、以下の説明から当業者ならば容易に理解できるはずである。説明は例示のみを目的として本発明を実施する最良の形態の一つかそれ以上を包摂する。即ち、本発明は他の異なる自明な態様で実施可能であり、いずれも本発明を逸脱するものではない。従って、添付図面および説明は本質的に例示を意図し、制限を意図するものではない。
【実施例】
【００２４】
図１について説明すると、本実施例のモーター装置２０、支持体３０、ハブ装置１００および複数のファンブレード２００から構成する。（ハブ装置１００およびファンブレード２００を有する）ファン１０は直径がほぼ８フィートである。他の実施例では、ファン１０の直径はほぼ６フィート以上、ほぼ２４フィート以下である。あるいは、ファン１０の直径は任意の好適な直径であればよい。
【００２５】
支持体３０については、第１端部において表面その他の構造に結合できるため、ファン１０をこの表面または他の構造に実質的に取り付けることができる。図１に示すように、このような構造の一例は天井の梁材４５０である。本実施例の支持体３０は細長い金属管状構造であればよく、これによってファン１０を天井に結合する。なお、本発明の技術思想に照らして当業者にとっては自明なように、支持体３０はこれ以外の各種方法で構成することも可能である。例えば、支持体３０は天井やその他の構造物に必ずしも結合する必要はなく、代わりに壁や地面に結合することも可能である。例えば、支持体３０は、地面に立設したポストの上部に装着してもよく、あるいは他の好適な位置において他の好適方法で装着してもよい。例えば、本明細書冒頭で言及した特許公報、特許公開公報、特許出願公報に記載されている位置などであるが、本発明はこれらに限定されるものではない。例示のみを目的としてだが、支持体３０は、本明細書に援用する米国特許公開第２００９/００７２１０８（発明の名称：角度を付けて装着する天井ファン、公開日：２００９年３月１９日）の記載に従って構成することが可能である。あるいは、支持体３０は上記以外の好適な構成で構成することも可能である。さらに、支持体３０は多数の方法で構成することが可能である。以下に例示のみを目的とする一つの実施例を示すが、他の実施例および変更例については、本明細書の記載に照らせば当業者にとっては自明なはずである。
【００２６】
本実施例のモーター装置２０は駆動シャフトを備えたＡＣ誘導モーターで構成するが、モーター装置２０は他の任意の好適な形式のモーター（例えば永久磁石ブラシレスＤＣモーター、ブラシ付きモーター、インサイドアウトモーターなど）でもよい。本実施例では、モーター装置２０は支持体３０に固着し、そしてハブ装置１００に回転自在に結合する。さらに、このモーター装置２０はハブ装置１００および複数のファンブレード２００を回転させる。例示のみを目的として触れると、モーター装置２０は、本明細書に援用する米国特許公開第２００９/０２０８３３３号（発明の名称：ブラシレスモーターを備えた天井ファンシステム、公開日：２００９年８月２０日）の記載の少なくとも一部に従って構成することができる。さらに、ファン１０については、本明細書に援用する米国特許公開第２０１０/０２７８６３７号（発明の名称：ブレードピッチが可変で、速度制御が可変の天井ファン、公開日：２０１０年１１月４日）の記載の少なくとも一部に従って構成することができる。あるいは、本明細書の記載に照らすと当業者にとっては自明なように、モーター装置２０は他の好適な構成成分、構成、機能および操作性を備えることも可能である。
【００２７】
ハブ装置１００については、本明細書に援用する米国特許出願公開第２０１０/０２７８６３７号（発明の名称：ブレードピッチが可変で、速度制御が可変の天井ファン、公開日：２０１０年１１月４日）の記載の少なくとも一部に従って構成すればよい。あるいは、ハブ装置１００は本明細書の記載や他の特許文献の記載のうちの任意の記載に従って構成することも可能である。ハブ装置１００を構成することができる他の好適な方法もあり、いずれも本明細書の記載に照らすと当業者にとって自明なはずである。なお、各ファンブレード２００とハブ装置１００との界面に（図示を省略した）界面成分を設けることができる。例示のみを目的として説明すると、このような界面成分については、本明細書に援用する米国特許公開第２００９/００８１０４５号（発明の名称：ファンブレード用空気力学的界面成分、公開日：２００９年３月２６日）の記載に従って構成することができる。望む場合には、このような界面成分を使用しなくてもよいことは無論である。
【００２８】
さらに、ファンブレード２００については、本明細書で言及する特許公報、特許公開公報や特許出願公報のいずれかの記載の一部または全体に従って構成することができる。例えば、ファンブレード２００は、本明細書に援用するＵＳＰ７，２８４，９６０（発明の名称：ファンブレード、発行日：２００７年１０月２３日）、ＵＳＰ６，２４４，８２１（発明の名称：低速冷却ファン、発行日：２００１年６月１２日）および/またはＵＳＰ６，９３９，１０８（発明の名称：強化ブレードを備えた冷却ファン、発行日：２００５年９月６日）の記載に従って構成すればよい。これら公報に公示される内容は本明細書に援用される。例示のみを目的として別な例について説明すると、ファンブレード２００は、本明細書に援用する米国特許公開第２００８/０００８５９６号（発明の名称：ファンブレード、公開日：２００８年１月１０日）の記載に従って構成することができる。例示のみを目的とするさらに別な例について説明すると、ファンブレード２００は、本明細書に援用する米国特許公開第２０１０/０１０４４６１号（発明の名称：複数パーツからなるモジュラー式翼体およびパーツ装着方法、公開日：２０１０年４月２９日）の記載に従って構成することも可能である。あるいは、本明細書に記載する実施例においてはファンブレード２００として上記以外の好適な構成も使用することができる。本実施例では、ファンブレード２００を押し出し法によってアルミから形成すると、各ファンブレードの全長にわたって横断面を実質的に均一化できる。なお、これ以外の好適な材料を使用して、あるいはこれら材料を併用して、任意の好適な方法によって、あるいはこれら方法の併用によってファンブレード２００を構成してもよく、本明細書の開示から当業者にとっては自明なように、任意の好適な横断面特性や他の特性を実現することができる。
【００２９】
本実施例のファンブレード２００にはさらに各種の変更を加えることが可能である。例示のみを目的として説明すると、本実施例のファンブレード２００の場合、さらにファンブレード２００の第２端部２０４に小翼２２０を結合する。この小翼２２０については、本明細書で言及する特許公報、特許公開公報や特許出願公報のいずれかの記載の一部または全体に従って構成することができる。例えば、小翼２２０は、本明細書に援用するＵＳＰ７，２５２，４７８（発明の名称：改良ファンブレード、発行日：２００７年８月７日）の記載の少なくとも一部に従って構成することができる。例示のみを目的とするさらに別な例について説明すると、小翼２２０は、本明細書に援用する米国特許公開第２００８/００１４０９０号（発明の名称：改良カフ付きファンブレード、公開日：２００８年１月１７日）の記載に従って構成することができる。例示のみを目的とするさらに別な例について説明すると、小翼２２０は、本明細書に援用するＵＳＰＤ５８７，７９９号（発明の名称：ファンブレード用小翼、発行日：２００９年３月３日）の記載に従って構成することができる。本明細書の開示から当業者にとっては自明なように、小翼２２０については他の好適な構成も採用することが可能である。
【００３０】
なお、小翼２２０はオプションに過ぎない。例えば、ファンブレード２００の他の構成例の場合、エンドキャップ、角度付き翼延長材、一体構成の閉鎖端部、あるいは実質的に開放した端部を備えることができる。例示のみを目的として説明すると、角度付き延長材は、本明細書に援用する米国特許公開第２００８/０２１３０９７号（発明の名称：ファンブレード用角度付き翼延長材、公開日：２００８年９月４日）の記載に従って各ファンブレード２００の自由端部に付加的に結合することができる。各ファンブレード２００の第２端部２０４に対応して使用できる他の好適な構造については、本明細書の開示から当業者にとっては自明なはずである。
ＩＩ．装着システムの補足追加例
【００３１】
上記の装着システム例３０に支持体を付加することが望ましい場合がある。例示のみを目的として説明すると、これ以外においては標準的な装着システム３０には、ファン１０をしばしば地震活動に見舞われる地理学的場所において装着するための強化用装着成分を設けることができる。これら強化用成分は、ファン１０に補強作用および安定性を付加するもので、地震時に天井または他の構造体へのファン１０の固着状態を維持するものである。図１に示すように、このような強化用システムはケーブル４１０などの一つかそれ以上の可撓性コネクターから構成することができ、これらコネクターはファン１０と天井梁材４５０などの構造体との間に延在し、これらを接続するものである。
【００３２】
図２に示すように、ケーブル４１０はファン１０に直接接続してもよく、あるいは図示のように、締め金具４１２などの調節コネクターを介してファン１０に接続することができる。これら締め金具４１２は、例えばモーター装置２０とギヤボックス４０との間においてファン１０に接続されたブラケット４１４に取り付ければよい。なお、ファン１０をケーブル４１０に接続する他の好適な構造/方法があればこれらも使用可能であり、ケーブル４１０は上記に例示したファンのいずれかに接続することが可能である。
【００３３】
ケーブル４１０については、図１および図３に例示するような装着ブラケット４００によっても天井梁材４５０に接続することができる。図３に示すように、アイボルト（ｅｙｅ  ｂｏｌｔ）４０７などのコネクターによって装着ブラケット４００にケーブル４１０を取り付ける。天井梁材４５０をウェブ部材４５４から構成する場合には、組み立て時、角鉄部材４５２が図１、図３、図４および図５に示すように“Ｉ型鋼”構造部材になる。用途に応じて、角鉄部材４５２は多くの異なる幅および深さを取ることができる。
【００３４】
図３、図５、図６および図７に示すように、例示の装着ブラケット４００は、ブラケット４０４を接続する棒材４０２などの調節可能な部材からなる。アイボルト４０７はブラケット４０４に接続してもよい。ボルト４０８およびナット４０９を使用して、組み立て作業を完成することができる。組み立て完成時には、例示の装着ブラケット４００が図１、図３および図５に示すように、天井梁材４５０を包み込む。この場合、ブラケット４０４が対向して直角になるため、図３および図５に示すように天井梁材または天井構造体４５０の角鉄部材４５２によって“Ｔ字”型が形成する。
【００３５】
ブラケット４０４は角鉄部材４５２のフランジの下に設けることができ、ファスナー装置によって結合することができ、このファスナー装置については、ボルト４０６および分離可能なコネクター４０５から構成でき、これらがアイボルト４０７になる（なお、ナットを備えた従来の一体型アイボルトも使用可能である）。次に、角鉄部材４５２のフランジの上にある位置に調節可能な部材４０２を設け、図３および図５に示すように、角鉄部材４５２のフランジの下にあるブラケット４０４にボルト４０８を使用して固着する。例示の装着ブラケットの調節可能な部材４０２の場合タッピング加工したボルト穴４０５を使用するが、他の構成では図示のようにナット４０９を使用することが可能である。
【００３６】
角鉄部材４５２の場合異なる幅および深さを取ることができるため、本実施例では装着ブラケット４００は調節可能である。図７に示すように、いくつかの異なる位置においてボルト４０８をブラケット４０４および調節可能な棒材４０２に挿入することができるため、複数の角鉄部材４５２の幅に対応することができる。このために、ブラケット４０４に細長いスロット４０３を設け、調節可能な棒材４０２にボルト穴４０５を設ける。アイボルト４０７を異なる位置においてブラケット４０４に挿入することができるため、複数の角鉄部材４５２の深さに対応することができる。このために、ブラケット４０４に複数のボルト穴４０１を設ける。
【００３７】
本発明の各種の実施態様を図示し、かつ説明してきたが、当業者が本発明の範囲から逸脱せずに適切な修正をこれに加えることにより、上記の方法およびシステムを改変することは可能である。このような潜在的な改変のいくつかについては既に説明したが、これら以外の改変に関しては、当業者にとって明らかなはずである。例えば、上記に実施例、実施態様、形状、材料、寸法、比率、工程（ステップ）などは例示であり、必ずしも必要ない。即ち、本発明の範囲については、特許請求の範囲の記載によって解釈すべきもので、明細書において説明し、かつ添付図面に図示した構造および操作作業の細部には制限されないものである。
【符号の説明】
【００３８】
１０：ファン
２０：モーター装置
３０：支持体、装置システム例
４０：ギヤボックス
１００：ハブ装置
２００：ファンブレード
２０４：第２端部
２２０：小翼
４００：装着ブラケット
４０１：ボルト穴
４０２：棒材
４０３：スロット
４０６、４０７、４０８：ボルト、アイボルト
４０９：ナット
４１０：ケーブル
４１２：締め金具
４１４、４０４：ブラケット
４５０：天井梁材又は天井構造体
４５２：角鉄部材
４５４：ウェブ部材
【図１】
0006446363.tif 000002
【図２】
0006446363.tif 000003
【図３】
0006446363.tif 000004
【図４】
0006446363.tif 000005
【図５】
0006446363.tif 000006
【図６】
0006446363.tif 000007
【図７】
0006446363.tif 000008